(57)【特許請求の範囲】
【請求項１】
画像読取装置の底部フレームに設けた案内リブ部材と、
前記底部フレームに取付けるための取付け部とベルトの被駆動プーリを支持する支持部からなるブラケットと、
前記ブラケットを付勢しベルトに張力を付与する弾性部材を備え、
前記ブラケットにはベルトを張設し得るよう取付部に前記案内リブ部材を内挿しうる長孔を設け、
前記長孔に複数の凸部が設けられ、前記凸部に案内リブ部材が当接することを特徴とする駆動ベルトの張力調整機構。
【請求項２】
前記凸部は長孔の対向する内壁に設けられ、前記対向する凸部の間隔が前記案内リブ部材の厚みとほぼ同じに形成されることを特徴とする請求項１に記載の駆動ベルトの張力調整機構。
【発明の詳細な説明】
【０００１】
【発明の属する技術分野】
本発明は、画像読取装置の走査部に配置するスキャナー装置の駆動装置に関し、特に、スキャナー装置を駆動するためのベルトの張力の調整を容易に行い得る装置に関する。
【０００２】
【従来の技術】
ファクシミリ装置や複写機等の画像形成装置と組み合わせて設ける画像読取装置においては、原稿をセットするプラテンの下面に沿って移動するスキャナ装置を配置し、前記スキャナ装置を副走査方向に移動可能に設けている。前記スキャナ装置は、光源としてのランプと複数のミラーおよび、結像レンズとＣＣＤ等の光電変換手段とを組み合わせて１つのユニットとして構成することがある。そして、前記スキャナ装置を原稿に沿わせて移動させることにより、原稿の画像を読み取った情報を、デジタル信号として出力する。前記スキャナ装置から伝達されるデジタル信号は、ファクシミリ装置の送信信号として用いる他に、複写機においては画像記録部で書込み手段に伝達され、感光体に光情報の書込みを行わせるために用いるようにしている。
【０００３】
【発明が解決しようとする課題】
前記走査装置に配置するスキャナー装置を移動させるために、１つの駆動装置を用いる場合には、前記駆動装置により駆動される駆動ベルトにスキャナー装置を接続して、プラテンの下面に沿わせて往復移動させ、そのスキャナー装置の移動の往路で原稿の画像の読取りを行っている。そのために、前記駆動ベルトに一定の値の張力が付与されていない状態では、スキャナー装置の移動速度が不安定となり、読取り速度が一定しないという不都合が発生する。また、前記駆動ベルトに伸び等が発生した場合には、その駆動ベルトの伸びを随時調整する必要があり、従来より張力調整装置を駆動側と反対側の端部に配置して、駆動ベルトの張力を一定に維持させるようにしている。ところが、前記張力調整装置を画像読取装置の本体フレームの内部に配置する場合には、例えば、プラテンを外した状態で駆動ベルトの張力の調整を行う必要があり、その張力調整装置に対するメンテナンスが面倒である等の問題が残っている。
【０００４】
本発明は、前述したような従来の張力調整装置の問題を解消しようとするもので、ベルトのテンションを自動的に調整可能にし、メンテナンスも容易に行い得る駆動ベルトの張力調整機構を提供することを目的としている。
【０００５】
【課題を解決するための手段】
本発明は、駆動ベルトの張力調整機構に関するもので、本発明の請求項１の発明は、画像読取装置の底部フレームに設けた案内リブ部材と、前記底部フレームに取付けるための取付け部とベルトの被駆動プーリを支持する支持部からなるブラケットと、前記ブラケットを付勢しベルトに張力を付与する弾性部材を備え、前記ブラケットにはベルトを張設し得るよう取付部に前記案内リブ部材を内挿しうる長孔を設け、前記長孔に複数の凸部が設けられ、前記凸部に案内リブ部材が当接することを特徴とする。そして、前記構成により、駆動ベルトにたるみが生じた場合にも、自動的に張力の調整を行うことができ、駆動ベルトのたるみを容易に解消可能である。
【０００６】
請求項２の発明は、前記凸部は長孔の対向する内壁に設けられ、前記対向する凸部の間隔が前記案内リブ部材の厚みとほぼ同じに形成されることを特徴とする。したがって、前記張力調整装置におけるプーリの移動を駆動ベルトの張力が付与される方向に沿って行わせることができ、スキャナー装置の移動が安定した状態で行われる。
【０００７】
【発明の実施の形態】
図示される例にしたがって、本発明のスキャナの保持構造を説明する。図１には本発明の画像読取装置の平面図を、図２にはその正面図を示しているもので、前記図１、２に示すように、画像読取装置１のプラテン２の下面に沿って移動し、原稿の画像の読取りを行うスキャナー装置１０は、装置フレーム３のフロント側に配置するガイドレール７と、リヤ側に配置するガイドロッド８により案内される。前記スキャナー装置１０は、移動方向に直角な方向の両端部に、スライド部材１７とロッド摺動部材１８を突出させて設け、装置のロッド摺動部材１８側に設けたベルト固定部１９を駆動用ベルト２５に接続して、駆動装置２０により往復移動させる。そして、前記スキャナー装置１０を移動させるために、装置のリヤ側ではロッド摺動部材１８をガイドロッド８に遊びのない状態で案内し、フロントフレーム４側では、摩擦係数の小さい摺動面を設けたガイドレール７にスライド部材１７を摺動させるようにしている。
【０００８】
前記スキャナー装置１０は、１つの読取りユニットとして構成されているもので、装置本体にランプ１１とミラー１２の他に、光を反射する複数のミラーを組み合わせて設けている。そして、端部のミラーにより反射した光をレンズ１３を介してＣＣＤ１４に結像して、前記ＣＣＤ１４により光信号をデジタル信号として出力させる。前記画像読取装置１のフレーム３は、図２に示すように、上部に配置するプラテン２に対してフロントフレーム４、リヤフレーム５および底部フレーム６を組み合わせて設け、前記フロントフレーム４の内面にはガイドレール７を突出させるように配置し、リヤフレーム５の内側にはガイドロッド８と駆動用ベルト２５とを平行に配置している。前記スキャナー装置１０は、駆動用ベルト２５の駆動側をベルト固定部１９に取付け、ベルトの戻り側２５ａはフレームの底部フレーム６に沿って配置される。
【０００９】
前記スキャナー装置１０を往復移動させる駆動装置２０は、リヤフレーム５に支持させるモータ２１からベルト２２を介して駆動プーリ２３を駆動し、前記駆動プーリ２３に巻き掛けた駆動用ベルト２５を用いてスキャナー装置１０を駆動する。前記駆動装置２０の他方の側には張力調整装置３０を設けており、前記張力調整装置３０においては、位置の調整が可能なＬ字状のブラケットにプーリ３４を支持させ、テンションスプリング４０により所定の値の張力を駆動用ベルト２５に付与し、駆動用ベルト２５に対して一定の値の張力が付与されるようにする。そして、プラテンにセットした原稿のサイズの情報に対応させて、モータ２１を正転させてスキャナー装置１０を副走査方向に移動し、読取りの終了後にモータ２１を逆転させてスキャナー装置１０を待機位置に戻す動作を行うに際して、駆動用ベルト２５の張力が変動することを防止し、原稿の読取り時のスキャナー装置１０の移動速度を定速に維持できるようにする。
【００１０】
前記駆動装置に対向させて配置する張力調整装置３０は、図３〜５に示すように構成されるもので、図３には平面図を、図４には側面図を、図５は駆動側から見た正面図を示している。前記各図に示すように、張力調整装置３０でプーリ３４を支持するＬ字状のブラケットは、ブラケット縦板３１とブラケット横板３２により構成され、前記ブラケット縦板３１には支軸３３を介してプーリ３４を回転自在に設け、駆動ベルト２５に一定の値の張力を付与可能にする張力調整装置に対する付勢手段とともに設けている。前記張力調整装置３０を画像読取装置の底部フレーム６に対して案内と保持作用を行わせるために、前記底部フレーム６には案内リブ部材２８と、後述するネジ止め用ボス部材２９、２９ａとを各々突出させて設けており、前記案内リブ部材２８に対応する長孔部材３５と、ボス部材に対する長孔としてのネジ孔４３、４４を張力調整装置のブラケット横板３２に設けている。
【００１１】
前記張力調整装置のブラケット横板３２には、図３に示されるように、案内リブ部材２８に対応させた長孔部材３５を設けていて、前記長孔部材３５の孔の内面の両側には、案内リブ部材２８に対応させて凸部材３６、３６ａと３７とを、所定の配置間隔で突出させて設けている。前記ブラケット横板３２の駆動装置側の端部には、係止突部４１を切り起こす等して突出させて設け、底部フレーム６に突出させて設けた本体ピン４２と係止突部４１の間にテンションスプリング４０を配置して、前記張力調整装置３０のブラケットを、駆動装置に対して離間させる方向に向けて付勢している。また、図４、５に示すように、前記ブラケット横板３２には底部フレーム６から突出させて設けている案内リブ部材２８に対する長孔部材３５の両側に、長孔として形成したネジ孔４３、４４を設けている。前記ネジ孔４３、４４に対して、フレーム底板６から上向きに突出させているボス部材２９、２９ａを挿入することにより、前記ブラケット横板３２を３つのガイド部材により駆動用ベルト２５の張力が作用する方向に移動可能に設ける。そして、前記ボス部材２９、２９ａに止めネジ４５、４６を装着することにより、底部フレーム６に対する張力調整装置３０の取付けを行い、止めネジ４５、４６がブラケット横板３２の浮き上がりを防止できるようにする。
【００１２】
前記図３〜５に示されたような構成を有する張力調整装置３０を設けたことにより、プーリ３４に巻き掛けた駆動ベルト２５にたるみが生じた場合には、前記テンションスプリング４０により駆動ベルト２５のたるみを解消させて所定の値の張力を維持させるようにする。前記張力を一定にするための張力調整装置３０の移動の動作を行う際には、ブラケット横板３２の長孔部材３５に位置させる案内リブ部材２８に対して、その両側の面に凸部材３６、３６ａと、凸部材３７とが、駆動ベルトの張力の働く方向とは直交する方向には遊びのない状態で案内する作用を付与する。また、前記ブラケット横板３２に対しては、２つの間隔を異ならせて配置する長孔として形成しているネジ孔４３、４４に対して、底部フレームに設けたボス部材２９、２９ａを摺動可能に設けて、前記張力調整装置３０の案内を行う。そして、前記ボス部材に装着した止めネジ４５、４６により、ブラケット横板３２の浮き上がりを防止しながら移動の案内を行うので、張力調整装置３０に支持されるプーリ３４は、駆動ベルトの張力に対向する方向にのみ移動が可能にされる。
【００１３】
前記張力調整装置３０を底部フレーム６に対して着脱する場合には、本体フレームの上部に設けているプラテン（図２に示す）２を外した状態で行うが、前記張力調整装置３０のブラケットを着脱する際には、２つの止めネジ４５、４６の着脱を行うのみで、底部フレーム６から取り出すことができる。また、装置のメンテナンスに際して、駆動ベルト２５をプーリ３４に対して着脱する作業と、テンションスプリング４０を着脱する作業は、プラテンを外した状態でフレームの上部から容易に行うことができる。さらに、前記テンションスプリング４０のみの調整では対処不能なメンテナンスに際しては、前記止めネジ４５、４６を緩めて張力調整装置の位置決めを行い、その後に止めネジを再び締め付けることで、容易に対処が可能である。
【００１４】
なお、前記張力調整装置に配置する各構成部材において、底部フレーム６に設ける案内リブ部材２８に対して、ブラケット横板３２の長孔部材３５の内面に突出させて設ける凸部材の数と配置間隔等は、駆動ベルト２５に要求される張力の値や、駆動装置での駆動力等に応じて任意に設定が可能である。また、前記ネジ孔４３、４４を張力調整装置３０の移動のガイドとして、前記案内リブ部材２８とともに用いるので、止めネジ４５、４６を装着するボス２９、２９ａに対して、前記ネジ孔４３、４４の摺動を容易に行わせ得るために、前記ボス部材２９、２９ａと摺動するネジ孔４３、４４は、駆動ベルト２５の張力が付与される方向には移動を許容でき、横方向には余裕がない状態に形成すると良い。
【００１５】
【発明の効果】
本発明は、前述したように構成したものであるから、画像読取装置の底部フレームに設けた案内リブ部材と、プーリを支持する支持部からなるブラケットと、弾性部材によりブラケットがベルトを張設し得るように構成したので、駆動ベルトにたるみが生じた場合にも、自動的に張力の調整を行うことができ、駆動ベルトのたるみを容易に解消可能である。また、長孔部材に複数の凸部が設けられ、前記凸部に案内リブ部材が当接すること、および、対向する凸部の間隔が前記案内リブ部材の厚みとほぼ同じに形成されることで、前記張力調整装置におけるプーリの移動を駆動ベルトの張力が付与される方向に沿って行わせることができ、スキャナー装置の移動が安定した状態で行うことができる。
【図面の簡単な説明】
【図１】  本発明の画像読取装置の構成を示す説明図である。
【図２】  図１の画像読取装置の平面図である。
【図３】  張力調整装置の平面図である。
【図４】  張力調整装置の側面図である。
【図５】  張力調整装置の正面図である。
【符号の説明】
１    画像読取装置、  ２    プラテン、  ３    フレーム、
４    フロントフレーム、  ５    リヤフレーム、  ６    底部フレーム、
７    ガイドレール、  ８    ガイドロッド、  １０    スキャナー装置、
１１    ランプ、  １２    ミラー、  １３    レンズ、  １４    ＣＣＤ、
１７    スライド部材、  １８    ロッド摺動部材、
１９    ベルト固定部、  ２０    駆動装置、  ２１    モータ、
２２    伝導ベルト、  ２３    駆動プーリ、  ２５    駆動用ベルト、
２８    案内リブ部材、  ２９    ボス部材、  ３０    張力調整装置、
３１    ブラケット縦板、  ３２    ブラケット横板、  ３３    支軸、
３４    プーリ、  ３５    長孔部材、  ３６・３７    凸部材、
４０    テンションスプリング、  ４１    係止突部、  ４２    本体ピン、
４３・４４    ネジ孔、  ４５・４６    止めネジ。
【図１】
0004288820.tif 000002
【図２】
0004288820.tif 000003
【図３】
0004288820.tif 000004
【図４】
0004288820.tif 000005
【図５】
0004288820.tif 000006